(57)【特許請求の範囲】
【請求項１】
携帯型コンテンツ再生装置と、前記携帯型コンテンツ再生装置に接続可能な信号変換装置とを備え、
前記携帯型コンテンツ再生装置が、
ユーザ操作によって被制御機器を制御する指示が入力される指示入力手段と、
第１チャンネル音声信号として前記被制御機器を制御するためのリモコン信号に相当する一方レベル及び他方レベルの２値を有する信号を含み、かつ、第２チャンネル音声信号として正弦波信号を含む制御ファイルを、記憶部に記憶させる制御ファイル記憶手段と、
ユーザ操作によって、前記被制御機器を制御する指示が入力された場合、前記記憶部に記憶されている前記制御ファイルを音楽ファイルとして再生し、前記第１チャンネル音声信号および前記第２チャンネル音声信号を前記信号変換装置に供給する再生手段とを有し、
前記信号変換装置が、
前記第１チャンネル音声信号および前記第２チャンネル音声信号を受信する受信手段と、
前記第２チャンネル音声信号を整流することによって電源電圧を生成する電圧生成手段と、
前記第１チャンネル音声信号が供給され、前記第１チャンネル音声信号が一方レベルのときにオン状態となり、前記第１チャンネル音声信号が他方レベルのときにオフ状態となるスイッチ素子と、
前記電圧生成手段によって生成された電圧が供給されて動作し、前記スイッチ素子がオン状態のときに赤外線信号を発光し、前記スイッチ素子がオフ状態のときに赤外線信号を発光しないことにより、前記被制御機器を制御するための赤外線リモコン信号を放出する発光ダイオードとを有する、リモートコントロールシステム。
【請求項２】
前記制御ファイル記憶手段が、前記被制御機器を制御する複数の指示の各々に対して前記制御ファイルを前記記憶部に記憶させ、
前記携帯型コンテンツ再生装置が、ユーザ操作によって、前記被制御機器を制御する指示が入力された場合、前記指示に対応する前記制御ファイルを特定する制御ファイル特定手段をさらに有し、
前記再生手段が、特定された前記制御ファイルを音楽ファイルとして再生する、請求項１に記載のリモートコントロールシステム。
【請求項３】
請求項１または２に記載のリモートコントロールシステムにおける前記携帯型コンテンツ再生装置であって、
ユーザ操作によって被制御機器を制御する指示が入力される指示入力手段と、
第１チャンネル音声信号として前記被制御機器を制御するためのリモコン信号に相当する一方レベル及び他方レベルの２値を有する信号を含み、かつ、第２チャンネル音声信号として正弦波信号を含む制御ファイルを、記憶部に記憶させる制御ファイル記憶手段と、
ユーザ操作によって、前記被制御機器を制御する指示が入力された場合、前記記憶部に記憶されている前記制御ファイルを音楽ファイルとして再生し、前記第１チャンネル音声信号および前記第２チャンネル音声信号を前記信号変換装置に供給する再生手段とを有する、携帯型コンテンツ再生装置。
【請求項４】
請求項１または２に記載のリモートコントロールシステムにおける前記信号変換装置であって、
前記第１チャンネル音声信号および前記第２チャンネル音声信号を受信する受信手段と、
前記第２チャンネル音声信号を整流することによって電源電圧を生成する電圧生成手段と、
前記第１チャンネル音声信号が供給され、前記第１チャンネル音声信号が一方レベルのときにオン状態となり、前記第１チャンネル音声信号が他方レベルのときにオフ状態となるスイッチ素子と、
前記電圧生成手段によって生成された電圧が供給されて動作し、前記スイッチ素子がオン状態のときに赤外線信号を発光し、前記スイッチ素子がオフ状態のときに赤外線信号を発光しないことにより、前記被制御機器を制御するための赤外線リモコン信号を放出する発光ダイオードとを有する、信号変換装置。
【発明の詳細な説明】
【技術分野】
【０００１】
本発明は、リモートコントロールシステムに関する。
【背景技術】
【０００２】
オーディオアンプ、ＴＶ受像機等のＡＶ機器を制御するためのリモコンとして、スマートフォン、ポータブルオーディオプレーヤ等の携帯型コンテンツ再生装置が使用されている。携帯型コンテンツ再生装置が赤外線リモコン送信機の機能を備えている場合には、携帯型コンテンツ再生装置の赤外線リモコン送信機の機能を使用してＡＶ機器を制御することができる。しかし、最近の携帯型コンテンツ再生装置は、無線ＬＡＮ等のネットワーク機能を備えているものの、赤外線リモコン送信機の機能を備えていないものが存在する。この場合、ユーザは、無線ＬＡＮ等のネットワークを使用して、携帯型コンテンツ再生装置をＡＶ機器のリモコン送信機として使用することができるが、無線ＬＡＮ等のネットワークの設定が煩雑であり、初級者にとっては使いづらいという問題がある。
【先行技術文献】
【特許文献】
【０００３】
【特許文献１】特開２００３−１０１８１０号
【発明の概要】
【発明が解決しようとする課題】
【０００４】
本発明は上記従来の課題を解決するためになされたものであり、その目的は、赤外線リモコン送信機の機能を備えない携帯型コンテンツ再生装置に、赤外線リモコン送信機としての機能を簡易に付加することができるリモートコントロールシステムを提供することにある。
【課題を解決するための手段】
【０００５】
本発明の好ましい実施形態によるリモートコントロールシステムは、携帯型コンテンツ再生装置と、前記携帯型コンテンツ再生装置に接続可能な信号変換装置とを備え、前記携帯型コンテンツ再生装置が、ユーザ操作によって被制御機器を制御する指示が入力される指示入力手段と、第１チャンネル音声信号として前記被制御機器を制御するためのリモコン信号に相当する一方レベル及び他方レベルの２値を有する信号を含み、かつ、第２チャンネル音声信号として正弦波信号を含む制御ファイルを、記憶部に記憶させる制御ファイル記憶手段と、ユーザ操作によって、前記被制御機器を制御する指示が入力された場合、前記記憶部に記憶されている前記制御ファイルを音楽ファイルとして再生し、前記第１チャンネル音声信号および前記第２チャンネル音声信号を前記信号変換装置に供給する再生手段とを有し、前記信号変換装置が、前記第１チャンネル音声信号および前記第２チャンネル音声信号を受信する受信手段と、前記第２チャンネル音声信号を整流することによって電源電圧を生成する電圧生成手段と、前記第１チャンネル音声信号が供給され、前記第１チャンネル音声信号が一方レベルのときにオン状態となり、前記第１チャンネル音声信号が他方レベルのときにオフ状態となるスイッチ素子と、前記電圧生成手段によって生成された電圧が供給されて動作し、前記スイッチ素子がオン状態のときに赤外線信号を発光し、前記スイッチ素子がオフ状態のときに赤外線信号を発光しないことにより、前記被制御機器を制御するための赤外線リモコン信号を放出する発光ダイオードとを有する。
【０００６】
本実施形態によると、携帯型コンテンツ再生装置は、ユーザ操作によって、被制御機器を制御する指示が入力された場合、記憶部に記憶されている制御ファイルを音楽ファイルとして再生し、第１チャンネル音声信号および第２チャンネル音声信号を信号変換装置に供給する。
【０００７】
信号変換装置は、第１チャンネル音声信号および第２チャンネル音声信号を受信すると、第２チャンネル音声信号を整流することによって電源電圧を生成する。従って、別途電源電圧を信号変換装置に供給する必要がない。また、スイッチ素子は、第１チャンネル音声信号が供給され、第１チャンネル音声信号が一方レベルのときにオン状態となり、第１チャンネル音声信号が他方レベルのときにオフ状態となる。発光ダイオードは、電圧生成手段によって生成された電圧が供給されて動作し、スイッチ素子がオン状態のときに赤外線信号を発光し、スイッチ素子がオフ状態のときに赤外線信号を発光しないことにより、被制御機器を制御するための赤外線リモコン信号を放出する。このように、携帯型コンテンツ再生装置に制御ファイルを記憶させ、信号変換装置を接続することによって、赤外線のリモコン信号を出力することができる。
【０００８】
好ましい実施形態においては、前記制御ファイル記憶手段が、前記被制御機器を制御する複数の指示の各々に対して前記制御ファイルを前記記憶部に記憶させ、前記携帯型コンテンツ再生装置が、ユーザ操作によって、前記被制御機器を制御する指示が入力された場合、前記指示に対応する前記制御ファイルを特定する制御ファイル特定手段をさらに有し、前記再生手段が、特定された前記制御ファイルを音楽ファイルとして再生する。
【０００９】
この場合、被制御機器を制御する内容毎に制御ファイルを携帯型コンテンツ再生装置に記憶させておくことで、ユーザ操作によって選択された制御内容に対応するリモコン信号を出力できる。
【発明の効果】
【００１０】
本発明によると、赤外線リモコン送信機の機能を備えない携帯型コンテンツ再生装置に、赤外線リモコン送信機としての機能を簡易に付加することができるリモートコントロールシステムを提供することができる。
【図面の簡単な説明】
【００１１】
【図１】本発明の好ましい実施形態による携帯型コンテンツ再生装置１００を示すブロック図である。
【図２】制御ファイルの左チャンネル音声信号を示す図である。
【図３】信号変換装置１を示すブロック図である。
【図４】制御部１０１の処理を示すフローチャートである。
【図５】信号変換装置１Ｂを示すブロック図である。
【図６】信号変換装置１Ｃを示すブロック図である。
【図７】信号変換装置１Ｄを示すブロック図である。
【図８】制御ファイルの左チャンネル音声信号を示す図である。
【発明を実施するための形態】
【００１２】
以下、本発明の好ましい実施形態について、図面を参照して具体的に説明するが、本発明はこれらの実施形態には限定されない。本発明の好ましい実施形態によるリモートコントロールシステムは、携帯型コンテンツ再生装置１００と、信号変換装置１とを備える。リモートコントロールシステムは、赤外線リモコン送信機としての機能を備えない携帯型コンテンツ再生装置１００に、信号変換装置１を接続することによって、被制御機器であるＡＶ機器２００を赤外線リモコン信号によって制御可能とするものである。
【００１３】
図１は、本発明の好ましい実施形態による携帯型コンテンツ再生装置１００を示す概略ブロック図である。携帯型コンテンツ再生装置１００は、制御部１０１と、メモリ（ＲＯＭ、ＲＡＭ等）１０２と、コンテンツ記憶部（フラッシュメモリ等）１０３と、再生部１０４と、ＧＵＩ部１０５、各出力端子ＯＵＴ１〜ＯＵＴ３とを有する。
【００１４】
制御部１０１は、ＲＯＭに格納されている携帯型コンテンツ再生装置１００の動作プログラムをＲＡＭに読み出して実行することによって、携帯型コンテンツ再生装置１００の動作を制御する。
【００１５】
コンテンツ記憶部１０３には、複数のオーディオファイルを記録可能である。オーディオファイルは、再生部１０４によって再生されて、各出力端子ＯＵＴ１〜ＯＵＴ３から音声信号が出力される。ここで、出力端子ＯＵＴ１は、左チャンネル音声信号（第１チャンネル音声信号）を出力する出力端子である。出力端子ＯＵＴ２は、右チャンネル音声信号（第２チャンネル音声信号）を出力する出力端子である。出力端子ＯＵＴ３は、グランドラインの端子である。
【００１６】
また、コンテンツ記憶部１０３には、１又は複数の制御ファイルを記憶可能である。１又は複数の制御ファイルは、例えば、携帯型コンテンツ再生装置１００が図示しないＰＣに接続され、ＰＣから制御ファイルが携帯型コンテンツ再生装置１００に転送されて、制御部１０１の指示によってコンテンツ記憶部１０３に記憶される。制御ファイルは、ＡＶ機器２００を制御する複数の指示の各々に対して記憶される。例えば、ＡＶ機器のボリュームを増加させる指示の制御ファイル、ＡＶ機器のセレクタを変更させる指示の制御ファイル、ＡＶ機器のチャンネルを変更させる指示の制御ファイル等が存在する。
【００１７】
制御ファイルは、左チャンネル音声信号（第１チャンネル音声信号）としてＡＶ機器２００を制御するためのリモコン信号に相当する一方レベル及び他方レベル（例えば、ハイレベル及びローレベル）の２値を有する信号を含む。図２は、制御ファイルの左チャンネル音声信号の一例を示す図であり、（ａ）、（ｂ）に示すように、ハイレベルのパルス信号が例えば３８ｋＨｚの周波数で繰り返した後、ローレベルが所定期間継続するといった信号である。
【００１８】
制御ファイルの左チャンネル音声信号は、ＡＶ機器２００の制御内容によって異なっている。例えば、ＡＶ機器のボリュームを増加させる指示の制御ファイルは、左チャンネル音声信号がＡＶ機器のボリュームを増加させるリモコン信号に相当している。また、ＡＶ機器のセレクタを変更させる指示の制御ファイルは、左チャンネル音声信号がＡＶ機器のセレクタを変更させるリモコン信号に相当している。
【００１９】
制御ファイルは、右チャンネル音声信号（第２チャンネル音声信号）として正弦波信号を含む。正弦波信号は、信号変換装置１内部において電源電圧を生成するために使用される。正弦波信号は、２０ｋＨｚ等、可能な限り高周波であることが好ましい。信号変換装置１内部において容量の小さいコンデンサを使用して迅速に電源電圧を生成することが可能だからである。
【００２０】
再生部１０４は、ユーザ操作によって、ＡＶ機器を制御する指示が入力された場合、コンテンツ記憶部１０３に記憶されている制御ファイルを音楽ファイルとして再生し、制御ファイルの左チャンネル音声信号および右チャンネル音声信号を信号変換装置１に供給する。詳細には、制御部１０１は、ＡＶ機器を制御する指示が入力された場合、入力された指示に対応する制御ファイルを特定する。再生部１０４は、複数の制御ファイルの中から、特定された制御ファイルを音楽ファイルとして再生し、制御ファイルの左チャンネル音声信号および右チャンネル音声信号を信号変換装置１に供給する。
【００２１】
ＧＵＩ部１０５は、ＡＶ機器２００を制御する指示がユーザ操作によって入力されるものである。また、ＧＵＩ部１０５は、ＡＶ機器２００を制御する制御内容（例えば、ボリューム調整、セレクタ変更、チャンネル変更等）を表示するものである。ＧＵＩ部１０５は、特に限定されないが、一般的にはタッチパネルが採用され得る。
【００２２】
図３は、信号変換装置１を示す概略回路ブロック図である。信号変換装置１は、入力端子ｉｎ１〜ｉｎ３と、スイッチ素子（以下、トランジスタという）Ｑ１と、電源電圧生成部（ダイオードＤ１、コンデンサＣ１）と、発光ダイオードＤ２と、抵抗Ｒ１とを有する。
【００２３】
入力端子ＩＮ１は、左チャンネル音声信号（第１チャンネル音声信号）を受信する入力端子であり、携帯型コンテンツ再生装置１００の出力端子ＯＵＴ１に接続可能である。入力端子ＩＮ２は、右チャンネル音声信号（第２チャンネル音声信号）を受信する入力端子であり、携帯型コンテンツ再生装置１００の出力端子ＯＵＴ２に接続可能である。入力端子ＩＮ３は、グランドラインの端子であり、携帯型コンテンツ再生装置１００の出力端子ＯＵＴ３に接続可能である。
【００２４】
電源電圧生成部は、正弦波信号である制御ファイルの右チャンネル音声信号を整流することによって、コンデンサＣ１に電源電圧を生成する回路である。ダイオードＤ１は、アノードが入力端子ＩＮ２に接続され、カソードがコンデンサＣ１の一端と抵抗Ｒ１の一端とに接続されている。コンデンサＣ１の一端は、ダイオードＤ１のカソードと抵抗Ｒ１の一端とに接続され、他端は接地電位に接続されている。
【００２５】
トランジスタＱ１は、制御ファイルの左チャンネル音声信号が供給され、左チャンネル音声信号が一方レベル（特に限定されないが本例ではハイレベル）のときにオン状態となり、左チャンネル音声信号が他方レベル（特に限定されないが本例ではローレベル）のときにオフ状態となる。トランジスタＱ１は、オンオフ動作することによって、発光ダイオードＤ２の発光を制御する。トランジスタＱ１は、ベースが入力端子ｉｎ１に接続され、コレクタが発光ダイオードＤ２のカソードに接続され、エミッタが接地電位に接続されている。
【００２６】
発光ダイオードＤ２は、電源電圧生成部によって生成された電源電圧が供給されて動作し、トランジスタＱ１がオン状態のときに赤外線信号を発光し、トランジスタＱ１がオフ状態のときに赤外線信号を発光しない。これにより、発光ダイオードＤ２は、ＡＶ機器２００を制御するための赤外線リモコン信号を、ＡＶ機器２００に対して放出する。発光ダイオードＤ２のカソードは、トランジスタＱ１のコレクタに接続され、そのアノードは抵抗Ｒ１の他端に接続されている。
【００２７】
トランジスタＱ１のオンオフ動作を制御する信号が、図２に示すような制御ファイルの左チャンネル音声信号であるので、ユーザ操作によって指示された制御内容に相当するリモコン信号に応じて、発光ダイオードＤ２が発光と非発光とを実行することになり、その結果、ユーザ操作によって指示された制御内容に相当する赤外線リモコン信号が放出される。
【００２８】
以上の構成を有するリモートコントロールシステムについてその動作を説明する。図４は、携帯型コンテンツ再生装置１００の制御部１０１の処理を示すフローチャートである。制御部１０１は、ユーザ操作によってＡＶ機器２００を制御する指示が入力されたか否かを判断する（Ｓ１）。入力された場合（Ｓ１でＹＥＳ）、制御部１０１は、コンテンツ記憶部１０３に記憶されている複数の制御ファイルの中から、入力された制御内容に対応する制御ファイルを特定する（Ｓ２）。制御部１０１は、特定した制御ファイルを再生部１０４に再生させる（Ｓ３）。再生部１０４は、特定された制御ファイルを音楽ファイルとして再生し、左チャンネル音声信号および右チャンネル音声信号を、信号変換装置１に供給する。
【００２９】
信号変換装置１において、正弦波信号である右チャンネル音声信号は、ダイオードＤ１を介してコンデンサＣ１に供給されることにより、整流され、コンデンサＣ１には発光ダイオードＤ２を動作させるための電源電圧が生成される。コンデンサＣ１の電圧は、抵抗Ｒ１を介して発光ダイオードＤ２のアノードに供給される。
【００３０】
一方、ＡＶ機器２００を制御するリモコン信号に相当する左チャンネル音声信号は、トランジスタＱ１のベースに供給される。トランジスタＱ１は、左チャンネル音声信号がハイレベルの時にオン状態になり、左チャンネル音声信号がローレベルの時にオフ状態になる。発光ダイオードＤ２は、トランジスタＱ１がオン状態のときにアノードからカソードに向かって電流が流れることによって赤外線を発光し、トランジスタＱ１がオフ状態のときにアノードからカソードに向かって電流が流れないことによって赤外線を発光しない。その結果、発光ダイオードＤ２は、リモコン信号に相当する左チャンネル音声信号のハイレベルの期間だけ発光し、赤外線リモコン信号をＡＶ機器２００に放出することができる。
【００３１】
次に、本発明の別の好ましい実施形態を説明する。図５は、本実施形態による信号変換装置１Ｂを示す図である。信号変換装置１Ｂは、図３の信号変換装置１と比較して、電源電圧生成部が、倍電圧整流回路によって構成されている。従って、制御ファイルの右チャンネル音声信号によってコンデンサＣ１により高い電圧を生成させることができる。電源電圧生成部は、コンデンサＣ２とダイオードＤ３とをさらに含む。コンデンサＣ２の一端は入力端子ｉｎ２に接続され、その他端はダイオードＤ１のアノードとダイオードＤ３のカソードとに接続されている。ダイオードＤ３のアノードはグランドラインに接続されている。その他の構成は、図３の信号変換装置１と同じであるので、説明を援用する。
【００３２】
次に、本発明のさらに別の好ましい実施形態を説明する。図６は、本実施形態による信号変換装置１Ｃを示す図である。信号変換装置１Ｃは、図５の信号変換装置１Ｂと比較して、リモコン信号受光部１１と出力端子ＯＵＴ４とをさらに有する。また、携帯型コンテンツ再生装置１００は、信号変換装置１Ｃの出力端子ＯＵＴ４に接続される入力端子ＩＮ４を有する。リモコン信号受光部１１は、例えばＡＶ機器２００や他のリモコン装置から送信される赤外線のリモコン信号を受光し、出力端子ＯＵＴ４を介して携帯型コンテンツ再生装置１００に供給する。携帯型コンテンツ再生装置１００においては、入力端子ｉｎ４に入力されたリモコン信号が制御部１０１に供給され、制御部１０１は供給されたリモコン信号に応じた処理を実行する。その他の構成は、図３の信号変換装置１、図５の信号変換装置１Ｂと同じであるので、説明を援用する。
【００３３】
次に、本発明のさらに別の好ましい実施形態を説明する。図７は、本実施形態による信号変換装置１Ｄを示す図である。信号変換装置１Ｄは、図３の信号変換装置１と比較して、発振器１２をさらに有する。図８は、本実施形態による制御ファイルの左チャンネル音声信号を示す図である。図２と比較して、図８（ａ）、（ｂ）に示すように、連続する複数のハイレベルのパルスが、１つのパルスとして生成されている。図７に示すように、制御ファイルの左チャンネル音声信号は、発振器１２によって図２に示すような制御ファイルの左チャンネル音声信号（リモコン信号に相当する信号）に変換される。その他の構成は、図３の信号変換装置１、図５の信号変換装置１Ｂと同じであるので、説明を援用する。
【００３４】
以上、本発明の好ましい実施形態について説明したが、本発明はこれらの実施形態には限定されない。例えば、右チャンネル音声信号がリモコン信号に相当する信号を含み、左チャンネル音声信号が正弦波信号を含んでいても良い。また、トランジスタＱ１は、ｎｐｎ型に限定されずｐｎｐ型が採用されても良い。この場合、制御ファイルの左チャンネル音声信号のハイレベルとローレベルトが反転した信号であればよい。
【産業上の利用可能性】
【００３５】
本発明は、例えばスマートフォンやポータブルオーディオプレーヤ等に好適に採用され得る。
【符号の説明】
【００３６】
１              信号変換装置
１１            リモコン信号受光部
１２            発振器
１００          携帯型コンテンツ再生装置
１０１          制御部
１０２          メモリ
１０３          コンテンツ記憶部
１０４          再生部
１０５          ＧＵＩ部
２００          ＡＶ機器（被制御機器）
Ｄ１、Ｃ１      電源電圧生成部
Ｑ１            スイッチ素子
Ｄ２            発光ダイオード
【図１】
0005712849.tif 000002
【図２】
0005712849.tif 000003
【図３】
0005712849.tif 000004
【図４】
0005712849.tif 000005
【図５】
0005712849.tif 000006
【図６】
0005712849.tif 000007
【図７】
0005712849.tif 000008
【図８】
0005712849.tif 000009